(57)【要約】      （修正有）【課題】測定精度を高めることができる測定棒を提供する。【解決手段】上方の測定対象物の地上高を地上から測定する測定棒１であって、複数のロッド２ａ−２ｇを伸縮可能に複数段に連結して、最上段のロッド２ｇから順次引き伸ばし可能に構成するとともに、最上段のロッド２ｇを除く上下段のロッド間に、上段のロッドの更に上段のロッドを最大に引き伸ばすことにより、上段のロッドを引き伸ばし可能とするロック機構を設け、更に上段のロッドに、ロック機構によるロック状態を解除するロック解除手段を設けた。測定棒１を最上段のロッドから所望のロッドまで引き伸ばして所定の長さに設定し、この状態で上方の測定対象物の地上高を測定する場合に、引き伸ばしていないロッドが下段のロッドから飛び出すことはないので、測定棒１を所定の長さに保った状態で測定対象物の地上高を測定することができ、測定精度を高めることができる。【選択図】図１
2014134418.tif 000002
【特許請求の範囲】
【請求項１】
上方の測定対象物の地上高を地上から測定する測定棒であって、
複数のロッドを伸縮可能に複数段に連結して、最上段のロッドから順次引き伸ばし可能に構成するとともに、最上段のロッドを除く上下段のロッド間に、該上段のロッドの更に上段のロッドを最大に引き伸ばすことにより、該上段のロッドを引き伸ばし可能とするロック機構を設け、当該更に上段のロッドに、前記ロック機構によるロック状態を解除するロック解除手段を設けたことを特徴とする測定棒。
【請求項２】
前記複数のロッドは、上段のロッドがその下段のロッドの内面側に伸縮可能に収納されていることを特徴とする請求項１に記載の測定棒。
【請求項３】
前記最上段のロッドには、該最上段のロッドをその下段のロッドの内面側に収納された状態に連結する連結部材が設けられていることを特徴とする請求項２に記載の測定棒。
【請求項４】
前記各ロッドは、テーパ筒状又は円筒状をなすものを周方向に複数の支持片に分割して構成した測定部と、該測定部の複数の支持片の上端を円環状に固定する連結部材とからなり、
上段のロッドの測定部の各支持片がその下段のロッドの測定部の各支持片の内面側に伸縮可能に収納されていることを特徴とする請求項２又は３に記載の測定棒。
【請求項５】
前記ロック機構は、上段のロッドに回動可能に設けられるロック部材と、下段のロッドに設けられるとともに、前記ロック部材を係止させるロック溝と、上段のロッドに設けられるとともに、前記ロック部材が前記ロック溝に係止された状態に付勢する付勢部材とからなり、
前記ロック解除機構は、前記上段のロッドの更に上段のロッドに設けられ、該更に上段のロッドを最大に引き伸ばすことにより、前記ロック部材を前記付勢部材の付勢力に抗して押圧して、前記ロック部材が前記ロック溝に係止された状態を解除する突起と、該突起を押圧する弾発部材とから構成されていることを特徴とする請求項１〜４の何れか１項に記載の測定棒。
【発明の詳細な説明】
【技術分野】
【０００１】
本発明は、測定棒に関し、特に、上方に設置された測定対象物の地上高を地上から測定するのに有効な測定棒に関する。
【背景技術】
【０００２】
上方の設置された測定対象物の地上高の測定に用いられる測定棒の一例として、複数の円筒状のロッドを伸縮可能に複数段に連結して構成した測定棒が知られている。このような構成の測定棒は、上段のロッドを最大に引き伸ばさなくても、次の下段のロッドを引き伸ばすことができるので、ロッドを引き伸ばして測定棒を所定の長さに設定する場合、ロッドの引き伸ばし長さにばらつきが生じ、測定棒を所定の長さに設定することができない。このため、測定棒による測定対象物の測定誤差が生じ、測定対象物の測定精度が著しく低下することになる。
【０００３】
特許文献１及び２には、測定棒の他の例が記載されている。特許文献１に記載の測定棒は、異なる径の円柱状の複数の中空パイプから構成され、内側の小径パイプから順に引き出し、引き出した内側の小径パイプのピンをばね反発力によってその外側のパイプの貫通孔から突出させて、ピンと貫通孔とを係合させることにより、引き出した小径パイプをその外側の小径パイプに固定するように構成したものである。
【０００４】
また、特許文献２に記載の測定棒は、軸方向に貫通した筒状の棒状部材を複数振り出し式に伸縮自在に連結した構成したものであって、外側の棒状部材の先端部内周面とその内側の棒状部材の基端部外周面とを互いに嵌合させて摩擦力によって締結させることにより、外側の棒状部材から内側の棒状部材を振り出した状態に固定するように構成したものである。
【先行技術文献】
【特許文献】
【０００５】
【特許文献１】特開２００１−１０７４７９号公報
【特許文献２】特開２０１２−１１０１０７号公報
【発明の概要】
【発明が解決しようとする課題】
【０００６】
ところで、特許文献１に記載の測定棒は、内側の小径パイプのピンをその外側の小径パイプの貫通孔から突出させることにより、内側の小径パイプを外側の小径パイプから引き出した状態に固定しているが、上段の小径パイプを最大に引き出さなくても、下段の小径パイプを引き出すことが可能となっているため、作業者によって小径パイプの引き出し長さに誤差が生じ、測定棒の設定長さにばらつきが生じ、測定対象物の地上高の測定精度が低下する。
【０００７】
また、特許文献２に記載の測定棒は、内側の棒状部材を外側の棒状部材に摩擦力によって固定しているため、内側の棒状部材の外側の棒状部材からの振り出し長さに誤差が生じ、測定棒の設定長さにばらつきが生じ、測定対象物の地上高の測定精度が低下する。
【０００８】
本発明は、上記のような従来の問題に鑑みなされたものであって、上方に設置された測定対象物の地上高を地上から高精度で測定することができる測定棒を提供することを目的とする。
【課題を解決するための手段】
【０００９】
上記のような課題を解決するために、本発明は、以下のような手段を採用している。
すなわち、本発明は、上方の測定対象物の地上高を地上から測定する測定棒であって、複数のロッドを伸縮可能に複数段に連結して、最上段のロッドから順次引き伸ばし可能に構成するとともに、最上段のロッドを除く上下段のロッド間に、該上段のロッドの更に上段のロッドを最大に引き伸ばすことにより、該上段のロッドを引き伸ばし可能とするロック機構を設け、当該更に上段のロッドに、前記ロック機構によるロック状態を解除するロック解除手段を設けたことを特徴とする。
【００１０】
本発明の測定棒によれば、最上段のロッドから順次引き伸ばし可能に構成するとともに、上下段のロッドの更に上段のロッドを最大に引き伸ばしてロック機構を解除しない限り、当該上段のロッドを引き伸ばすことができないことになる。従って、測定棒を最上段のロッドから所望のロッドまで引き伸ばして所定の長さに設定し、この状態で上方の測定対象物の地上高を測定する場合に、引き伸ばしていないロッドが下段のロッドから飛び出すことはないので、測定棒を所定の長さに保った状態で測定対象物の地上高を測定することができ、測定精度を高めることができる。また、測定棒を所定の長さに設定した状態で他の測定箇所に移動する場合であっても、測定棒を所定の長さに保持することができるので、移動する毎に測定棒の長さの確認をする必要はなく、測定作業の効率を高めることができる。
【００１１】
また、本発明において、前記複数のロッドは、上段のロッドがその下段のロッドの内面側に伸縮可能に収納されていることとしてもよい。
【００１２】
本発明の測定棒によれば、複数のロッドを引き伸ばす場合には、上段のロッドから順次その下段のロッドの内面側から引き伸ばし、複数のロッドを縮める場合には、下段のロッドから順次その下段のロッドの内面側に収納することになる。
【００１３】
また、本発明において、前記最上段のロッドには、該最上段のロッドをその下段のロッドの内面側に収納された状態に連結する連結部材が設けられていることとしてもよい。
【００１４】
本発明の測定棒によれば、固定部材によって最上段のロッドをその下段のロッドの内面側に収納された状態に固定することにより、測定棒を移動させる場合等に、最上段のロッドがその下段のロッドから飛び出るのを防止できる。
【００１５】
また、本発明において、前記各ロッドは、テーパ筒状又は円筒状をなすものを周方向に複数の支持片に分割して構成した測定部と、該測定部の複数の支持片の上端を円環状に固定する連結部材とからなり、上段のロッドの測定部の各支持片がその下段のロッドの測定部の各支持片の内面側に伸縮可能に収納されていることとしてもよい。
【００１６】
本発明の測定棒によれば、各ロッドの測定部は、テーパ筒状又は円筒状をなすものを周方向に複数の支持片に分割して構成した測定部を備えているので、各ロッドを軽量化することができ、測定棒全体を軽量化することができ、測定棒の操作、移動を容易にすることができる。
【００１７】
さらに、本発明において、前記ロック機構は、上段のロッドに回動可能に設けられるロック部材と、下段のロッドに設けられるとともに、前記ロック部材を係止させるロック溝と、上段のロッドに設けられるとともに、前記ロック部材が前記ロック溝に係止された状態に付勢する付勢部材とからなり、前記ロック解除機構は、前記上段のロッドの更に上段のロッドに設けられ、該更に上段のロッドを最大に引き伸ばすことにより、前記ロック部材を前記付勢部材の付勢力に抗して押圧して、前記ロック部材が前記ロック溝に係止された状態を解除する突起と、該突起を押圧する弾発部材とから構成されていることとしてもよい。
【００１８】
本発明の測定棒によれば、上段のロッドのロック部材を下段のロッドのロック溝に係止させ、付勢部材の付勢力によってロック部材がロック溝内に係止された状態に保ち、上段のロッドの更に上段のロッドを最大に引き伸ばして、当該更に上段のロッドの突起でロック部材のロック溝への係止状態を解除しない限り、上段のロッドを下段のロッドから引き伸ばすことができないことになる。従って、測定棒を最上段のロッドから所望のロッドまで引き伸ばして所定の長さに設定し、この状態で上方の測定対象物の地上高を測定する場合に、引き伸ばしていないロッドが下段のロッドから飛び出すことはないので、測定棒を所定の長さに保った状態で測定対象物の地上高を測定することができ、測定精度を高めることができる。また、測定棒を所定の長さに設定した状態で他の測定箇所に移動する場合であっても、測定棒を所定の長さに保持することができるので、移動する毎に測定棒の長さの確認をする必要はなく、測定作業の効率を高めることができる。
【発明の効果】
【００１９】
以上、説明したように、本発明の測定棒によれば、最上段のロッドから所望のロッドまで引き伸ばして所定の長さに設定し、この状態で上方の測定対象物の地上高を測定する場合に、引き伸ばしていないロッドが下段のロッドから飛び出すことはなく、測定棒を所定の長さに保った状態で測定対象物の地上高を測定することができる。従って、測定精度を大幅に高めることができる。また、測定棒を所定の長さに設定した状態で他の測定箇所に移動する場合であっても、測定棒を所定の長さに保持することができるので、移動する毎に測定棒の長さの確認をする必要はなく、測定作業の効率を高めることができる。
【図面の簡単な説明】
【００２０】
【図１】本発明による測定棒の一実施の形態を示した概略図であって、各段のロッドを引き伸ばした状態を示した概略図である。
【図２】図１の測定棒の各段のロッドを収納した状態を示した概略図である。
【図３】図１の測定棒の測定部の概略図である。
【図４】図３のＡ−Ａ線断面図である。
【図５】図１の測定棒の変形例を示した部分拡大図である。
【図６】図１の測定棒の変形例を示した部分拡大断面図である。
【図７】図１の測定棒の第７ロッド、第６ロッド、第５ロッド、及び第４ロッドを示した概略断面図である。
【図８】測定棒の第７ロッドを引き伸ばす途中の過程を示した説明図である。
【図９】第７ロッドを最大に引き伸ばした状態を示した説明図である。
【図１０】第６ロッドを引き伸ばす途中の過程を示した説明図である。
【図１１】第６ロッドを最大に引き伸ばした状態を示した説明図である。
【図１２】第７ロッドを収納する途中の過程を示した説明図である。
【発明を実施するための形態】
【００２１】
以下、図面を参照しながら本発明の実施の形態について説明する。
図１〜図７には、本発明による測定棒の一実施の形態が示されている。本実施の形態の測定棒１は、上方に設置された測定対象物の地上高を地上から測定するのに有効なものであって、本実施の形態においては、電柱間に架設された架空ケーブルの地上高の測定に適用している。
【００２２】
本実施の形態の測定棒１は、図１〜図７に示すように、径、長さの異なる複数のロッド２を伸縮可能に連結して、最上段のロッド２ａから順次引き伸ばし可能に構成するとともに、最上段のロッド２ａを最大に引き伸ばさない限り、その下段のロッド２ｂを引き伸ばしできないように構成し、さらに、そのロッド２ｂを最大に引き伸ばさない限り、その下段のロッド２ｃを引き伸ばしできないように、最上段のロッド２ａから順次１段ずつ引き伸ばし可能に構成したものである。
なお、本実施の形態においては、７本のロッド（第１ロッド２ａ〜第７ロッド２ｇ）を伸縮可能に連結している。
【００２３】
各ロッド２は、図３及び図４に示すように、テーパ筒状をなすものを周方向に４つの支持片７ａ〜７ｄに分割して構成した測定部７と、測定部７の４つの支持片（第１支持片７ａ〜第４支持片７ｄ）の上端を円環状に束ねた状態に連結する連結リング９とから構成されている。各ロッド２は、図１及び図２に示すように、上段のロッド２の測定部７の各支持片７ａ〜７ｄがその下段のロッド２の測定部７の各支持片７ａ〜７ｄの内面側に引き伸ばし可能に収納されている。
なお、最下段のロッド２ａは、テーパ筒状のままに構成され、この最下段のロッド２ａが測定棒１を支持する柄部６に構成されている。また、最上段のロッド２ｇの上部には、測定対象の架空ケーブルに引っ掛けるためのフック（図示せず）が設けられている。
【００２４】
各ロッドの測定部７の支持片７ａ〜７ｄの外面には目盛（図示せず）が付され、最上段の第７ロッド２ｇの上部のフックを架空ケーブルに引っ掛けた状態で、各ロッド２の目盛を読むことにより、架空ケーブルの地上高を測定することができる。
【００２５】
各ロッド２の測定部７の下端部の内面側には、図３に示すように、弾性変形可能な球状の弾発体１６が圧縮された状態で収納され、この弾発体１６の弾発力により、各ロッド２の測定部７の各支持片７ａ〜７ｄが外方に押圧され、各ロッド２の測定部７の各支持片７ａ〜７ｄの下端がその下段のロッド２の測定部７の各支持片７ａ〜７ｄの内面に押し付けられる。例えば、図７に示すように、弾発体１６の弾発力によって第７ロッド２ｇの測定部７の各支持片７ａ〜７ｄが外方に押圧され、第７ロッド２ｇの各支持片７ａ〜７ｄの下端が第６ロッド２ｆの測定部７の各支持片７ａ〜７ｄの内面に押し付けられる。
【００２６】
なお、図５に示すように、上下段のロッド２ｇ〜２ｆ、２ｆ〜２ｅ、２ｅ〜２ｄの連結リング４の端面４ｂ、連結リング９の端面９ｃ、９ｄを所定の角度で面取りし、上下段のロッド２ｇ〜２ｆ、２ｆ〜２ｅ、２ｅ〜２ｄの連結リング４、９の端面間４ｂ〜９ｃ、９ｄ、９ｃ間に指等を挟むのを防止するように構成してもよい。
また、図６に示すように、各ロッド２（最上段の第７ロッド７ｇを除く）の測定部７の支持片７ａ、７ｃの内面、及び柄部６の内面を波形状に形成し、この波形状に形成した支持片７ａ、７ｃの内面、及び柄部６の内面に上段のロッド２ｇ〜２ａの測定部７の支持片７ａ、７ｃの突起８を係合させるように構成してもよい。このような構成とすることにより、各ロッド２ｇ〜２ａを引き伸ばす際に、各ロッド２ｇ〜２ａが自重によって下降するのを防止でき、各ロッド２ｇ〜２ａの引き伸ばし作業を容易に行うことができる。
【００２７】
図７に示すように、各ロッド２の測定部７の対向する２つの支持片（第１支持片７ａ及び第３支持片７ｃ）の下端には、外方に突出する突起８がそれぞれ設けられ、各ロッド２の連結リング９（第７ロッド２ｇの連結リング９を除く）の内面側の対向する２箇所（上段のロッド２の第１支持片７ａ及び第３支持片７ｃに対応する部分）には、それぞれ連結溝１０が設けられ、上段のロッド２の第１支持片７ａの突起８及び第３支持片７ｃの突起８が下段のロッド２の連結リング９の各連結溝１０内に嵌合可能に構成されている。
【００２８】
各連結リング９（第７ロッド２ｇの連結リング９を除く）には、上段のロッド２の測定部７がその下段のロッド２の測定部７の内面側に収納された状態にロックし、上段のロッド２の上部のロッド２を最大に引き伸ばすことにより、そのロック状態を解除するロック機構１２が設けられている。
【００２９】
ロック機構１２は、連結リング９の底部９ａに設けられた貫通孔９ｂ内を貫通して、上端が連結溝１０内に突出し、下端が連結リング９の底部９ａよりも下方に突出する棒状のロック部材１３と、ロック部材１３を図中矢印方向に回動可能に支持する支持軸１４と、ロック部材１３の上端を連結リング９の中心方向に付勢する付勢部材としてのばね１５とから構成されている。
【００３０】
ロック部材１３の下端には、外方に突出するフック１３ａが一体に設けられ、このフック１３ａが下段のロッド２の連結リング９（第７ロッド２ｇの連結リング９及び第６ロッド２ｆの連結リング９を除く）のロック溝１１内に係止される。これにより、上段のロッド２（例えば第６ロッド２ｆ）が下段のロッド２（例えば第５ロッド２ｅ）に連結され、上段のロッド２（例えば第６ロッド２ｆ）が下段のロッド２（例えば第５ロッド２ｅ）引き伸ばされるのが阻止される。
【００３１】
ロック機構１２によるロックを解除するには、ロックを解除する対象の上段のロッド２の上部のロッド２の測定部７を引き伸ばし、そのロッド２の測定部７のロック解除機構としての第１支持片７ａの突起８及び第３支持片７ｃの突起８を弾発部材１６の弾発力によって上段のロッド連結リング９の各連結溝１０内に嵌合させ、各突起８でロック部材１３の上端をばね１５の付勢力に抗して外方に押圧する。これにより、ロック部材１３が支持軸１４を中心として時計周り又は反時計周りに回動し、ロック部材１３のフック１３ａのロック溝１１への係止状態が解除され、対象の上段のロッド２を下段のロッド２から引き伸ばすことが可能となる。
【００３２】
なお、最上段の第７ロッド２ｇは、第７ロッド２ｇの測定部７の外側にスライド可能に設けられている連結リング４を第６ロッド２ｆの上端に連結することで、第６ロッド２ｆから引き伸ばされるのが阻止され、連結リング４を第６ロッド２ｆから取り外すことで、第６ロッド２ｆから引き伸ばし可能な状態となる。
【００３３】
ここで、連結リング４は、中心部に第７ロッド２ｇの測定部７を挿通させる挿通孔４ａが設けられるキャップ状をなすものであって、内面側に設けられた雌ねじ５を第６ロッド２ｆの連結リング９の上部に設けられた雄ねじ３に螺合させることにより、第６ロッド２ｆの上端に連結される。
【００３４】
このような構成の連結リング４を第６ロッド２ｆの上端に連結することにより、第７ロッド２ｇの測定部７の各支持片７ａ〜７ｄの外面が連結リング４の挿通孔４ａの内面に当接され、第７ロッド２ｇの測定部７の各支持片７ａ〜７ｄが挿通孔４ａから所定以上に引き伸ばされるのが阻止される。連結リング４を第６ロッド２ｆから取り外すことにより、連結リング４がフリーの状態となり、第７ロッド２ｇの測定部７の各支持片７ａ〜７ｄを連結リング４を伴った状態で第６ロッド２ｆの測定部７から引き伸ばすことができる。
【００３５】
次に、上記のように構成した本実施の形態の測定棒１の引き伸ばしの手順について説明する。
まず、図８に示すように、連結リング４を第６ロッド２ｆから取り外し、連結リング４をフリーの状態とすることにより第７ロッド２ｇを引き伸ばし可能な状態とする。
この場合、第６ロッド２ｆのロック部材１３のフック３ａが第５ロッド２ｅのロック溝１１内に係止され、第５ロッド２ｅのロック部材１３のフック３ａが第４ロッド２ｄのロック溝１１内に係止されていることにより、第６ロッド２ｆ、第５ロッド２ｅの引き伸ばしが阻止される。同様に、図示はしないが、第４ロッド２ｄ、第３ロッド２ｃ、第２ロッド２ｂ、第１ロッド２ａの引き伸ばしも阻止される。
【００３６】
次に、図９に示すように、第７ロッド２ｇを最大に引き伸ばし、弾発体１６の弾発力によって測定部７の各支持片７ａ〜７ｄを外方に押圧することにより、第１支持片７ａの突起８及び第３支持片７ｃの突起８を第６ロッド２ｆの連結リング９の連結溝１０内に嵌合させる。
【００３７】
これにより、第７ロッド２ｇが最大に引き伸ばした状態に固定される。また、第６ロッド２ｆのロック部材１３の上端がばね１５の付勢力に抗して外方に押圧されることにより、ロック部材１３が支持軸１４を中心として時計周り又は反時計周りに回動し、ロック部材１３のフック１３ａの第５ロッド２ｅのロック溝１１への係止状態が解除され、第６ロッド２ｆが引き伸ばし可能な状態となる。
【００３８】
次に、図１０に示すように、第７ロッド２ｇの測定部７の第１支持片７ａの突起及び第３支持片７ｃの突起８が第６ロッド２ｆの連結溝１０内に嵌合された状態で、第７ロッド２ｇと第６ロッド２ｆとを一体に引き伸ばす。
【００３９】
そして、図１１に示すように、第６ロッド２ｆを最大に引き伸ばすことにより、第６ロッド２ｆの測定部７の第１支持片７ａの突起８及び第３支持片７ｃの突起８を第５ロッド２ｅの連結溝１０内に嵌合させる。
【００４０】
これにより、第６ロッド２ｆが最大に引き伸ばした状態に固定される。また、第５ロッド２ｅのロック部材１３の上端がばね１５の付勢力に抗して外方に押圧されることにより、ロック部材１３が支持軸１４を中心として時計周り又は反時計周りに回動し、ロック部材１３のフック１３ａの第４ロッド２ｄのロック溝１１への係止状態が解除され、第５ロッド２ｆが引き伸ばし可能な状態となる。
【００４１】
そして、同様の作業を順次行うことにより、第５ロッド２ｆ〜第１ロッド２ａをそれぞれ最大に引き伸ばすことができる。
なお、第１ロッド２ａのロック部材１３は、第１ロッド２ａの下段の柄部６に設けられたロック溝１１内にフック１３ａを係止させることで、柄部６の内面側に収納された状態に固定されている。
【００４２】
次に、最大に引き伸ばした各ロッド２を収納する手順について説明する。
最大に引き伸ばした各ロッド２を収納する場合には、第２ロッド２ｂ、第３ロッド２ｃ、第４ロッド２ｄ、第５ロッド２ｅ、第６ロッド２ｆ、第７ロッド２ｇの順に収納し、最後に連結リング４を雄ねじ３に締め付ける。
【００４３】
例えば、第６ロッド２ｆを第５ロッド２ｅの内面側に収納するには、図１２に示すように、第６ロッド２ｆの測定部７の各支持片７ａ〜７ｄを手で握り締め、弾発体１６をその弾発力に抗して圧縮変形させることにより測定部７の下端を図中矢印ａ方向に縮径させ、測定部７の第１支持片７ａの突起８及び第３支持片７ｃの突起８を第５ロッド２ｅの連結溝１０から離脱させる。そして、この状態で測定部７の各支持片７ａ〜７ｄを第５ロッド２ｅの測定部７の各支持片７ａ〜７ｄの内面側（図中矢印ｂ方向）に押し込む。これにより、図７に示すように、第６ロッド２ｆのロック部材１３のフック１３ａが第５ロッド２ｅのロック溝１１内に係止され、第６ロッド２ｆが第５ロッド２ｅの内面側に収納された状態に固定される。
【００４４】
また、第７ロッド２ｇを第６ロッド２ｆの内面側に収納するには、図１２に示す第６ロッド２ｆと同様に、第７ロッド２ｇの測定部７の各支持片７ａ〜７ｄを手で握り締め、弾発体１６をその弾発力に抗して圧縮変形させることにより測定部７の下端を縮径させ、測定部７の第１支持片７ａの突起８及び第３支持片７ｃの突起８を第６ロッド２ｆの連結溝１０から離脱させる（連結溝１０から離脱させた状態は図示を省略する。）。
【００４５】
そして、この状態で、図７に示すように、測定部７の各支持片７ａ〜７ｄを第６ロッド２ｆの測定部７の各支持片７ａ〜７ｄの内面側に押し込み、連結リング４の雌ねじ５を第６ロッド２ｆの上部の雄ねじ３に螺合させる。これにより、第７ロッド２ｇが第６ロッド２ｆの内面側に収納された状態に固定される。
【００４６】
なお、図７においては、第６ロッド２ｆを第５ロッド２ｅの内面側に収納する場合について説明したが、第２ロッド２ｂ〜第５ロッド２ｅをそれぞれ下段のロッド２ａ〜２ｄの内面側に収納する場合についても、同様の作業を行うことになる。
【００４７】
上記のように構成した本実施の形態の測定棒１にあっては、最上段の第７ロッド２ｇが連結リング４によって第６ロッド２ｆの内面側に収納された状態に固定され、第６ロッド２ｆ〜第２ロッド２ｂがそれぞれ下段のロッド２ｅ〜２ａの内面側に収納された状態にロック機構１２によって固定され、最下段の第１ロッド２ａがその下段の柄部６の内面側に収納された状態にロック機構１２により固定されているので、連結リング４を取り外さない限り、或いはロック機構１２によるロック状態を解除しない限り、各ロッド２ａ〜２ｇを引き伸ばすことができない。
【００４８】
また、最上段の第７ロッド２ｇを連結リング４を取り外して最大に引き伸ばさない限り、その下段の第６ロッド２ｆを引き伸ばすことができず、また、第６ロッド２ｆを最大に引き伸ばしてロック機構１２によるロック状態を解除しない限り、その下段の第５ロッド２ｅを引き伸ばすことができず、同様に、第４ロッド２ｄ〜第１ロッド２ａについても、上段のロッド２ｅ〜２ｂを最大に引き伸ばしてロック機構１２によるロック状態を解除しない限り引き伸ばすことができない。
【００４９】
従って、測定棒１を最上段から所望のロッド２ｇ〜２ａまで最大に引き伸ばし、測定棒１を所定の長さに設定した状態で架空ケーブルの測定を行う場合に、下段のロッド２ｆ〜２ａ、及び柄部６の内面側に収納した状態に固定されている上段段のロッド２ｇ〜２ａが下段のロッド２ｆ〜２ａ、及び柄部６から自由に伸びてしまうようなことはなく、測定棒１による測定精度を高めることができる。
【００５０】
また、測定棒１を所定の長さに設定した状態で移動するような場合にも、下段のロッド２ｆ〜２ａ、及び柄部６の内面側に収納した状態に固定されている上段段のロッド２ｇ〜２ａが下段のロッド２ｆ〜２ａ、及び柄部６から自由に伸びてしまうようなことはないので、測定ごとに測定棒１の設定長さを確認する必要がなく、架空ケーブルの測定効率を高めることができる。
【００５１】
また、上下段のロッド２ｇ〜２ｆ、２ｆ〜２ｅ、２ｅ〜２ｄの端面２ｈを所定の角度で面取りした場合には、上下段のロッド２ｇ〜２ｆ、２ｆ〜２ｅ、２ｅ〜２ｄの端面２ｈ間に指等を挟むのを防止できるので、作業上の安全性を確保することができる。
【００５２】
また、各ロッド２ａ〜２ｇの測定部７を４つの支持片７ａ〜７ｄに分割して構成しているので、各ロッド２ａ〜２ｇの軽量化を図ることができ、長尺の測定棒１の操作性を高めることができる。
【００５３】
さらに、各ロッド２（最上段の第７ロッド２ｇを除く）の測定部７の支持片７ａ、７ｃの内面を波形状に形成し、この波形状に形成した支持片７ａ、７ｃの内面に上段のロッド２ｇ〜２ａの測定部７の支持片７ａ、７ｃの突起８を接触させるように構成することにより、各ロッド２ｇ〜２ａを引き伸ばす際に、各ロッド２ｇ〜２ａが自重により下降するのを防止でき、各ロッド２ｇ〜２ａの引き伸ばし作業を効率よく行うことができる。
【００５４】
なお、前記の説明においては、各ロッド２の測定部７をテーパ筒状のものを４つの支持片７ａ〜７ｄに分割して構成したが、３つ以下、又は５つ以上の支持片に分割してもよい。また、円筒状のものを複数の支持片に分割して構成してもよい。
【００５５】
また、前記の説明においては、上段のロッド２の対向する２つの支持片（第１支持片７ａ及び第３支持片７ｃ）に突起８を設け、それに対応するように、下段のロッド２の連結リング９の内面に連結溝１０を設けたが、少なくとも一つの支持片７ａ〜７ｄの下端に突起８を設け、その支持片７ａ〜７ｄに対応するように、下段のロッド２の連結リング９の内面に連結溝１０を設けるように構成してもよい。
【符号の説明】
【００５６】
１  測定棒
２ａ  第１ロッド
２ｂ  第２ロッド
２ｃ  第３ロッド
２ｄ  第４ロッド
２ｅ  第５ロッド
２ｆ  第６ロッド
２ｇ  第７ロッド
２ｈ  端面
３  雄ねじ
４  連結部材（連結リング）
４ａ  挿通孔
４ｂ  端面
５  雌ねじ
７  測定部
７ａ  第１支持片
７ｂ  第２支持片
７ｃ  第３支持片
７ｄ  第４支持片
８  ロック解除機構（突起）
９  連結リング
１０  連結溝
９ａ  底部
９ｂ  貫通孔
９ｃ  端面
９ｄ  端面
１１  ロック溝
１２  ロック機構
１３  ロック部材
１３ａ  フック
１４  支持軸
１５  付勢部材（ばね）
１６  弾発部材
【図１】
2014134418.tif 000003
【図２】
2014134418.tif 000004
【図３】
2014134418.tif 000005
【図４】
2014134418.tif 000006
【図５】
2014134418.tif 000007
【図６】
2014134418.tif 000008
【図７】
2014134418.tif 000009
【図８】
2014134418.tif 000010
【図９】
2014134418.tif 000011
【図１０】
2014134418.tif 000012
【図１１】
2014134418.tif 000013
【図１２】
2014134418.tif 000014